(57)【要約】  粒子を含まない洗浄用組成物を提供する。該洗浄用組成物は、１以上のアルキルポリグルコシド及び１以上の２−プロピルヘプタノールアルコキシレートを含有する溶液を含み、ここで１以上の２−プロピルヘプタノールアルコキシレートは、比較的低い親水性−親油性バランス値を有する。また、前記洗浄用組成物の製造方法及び使用方法も提供する。【特許請求の範囲】
【請求項１】
１以上のアルキルポリグルコシド及び１以上の２−プロピルヘプタノールアルコキシレートを含有する溶液を含む洗浄用組成物であって、ここで前記１以上の２−プロピルヘプタノールアルコキシレートは、約１０．５以下の親水性−新油性バランス値を有し；
前記洗浄用組成物は粒子を含まない、洗浄用組成物。
【請求項２】
前記親水性−新油性バランス値が、約９以下である請求項１に記載の洗浄用組成物。
【請求項３】
前記親水性−新油性バランス値が、約８以下である請求項２に記載の洗浄用組成物。
【請求項４】
前記１以上のアルキルポリグルコシドが、炭素数８〜１３のアルキル鎖長を有する請求項１に記載の洗浄用組成物。
【請求項５】
前記１以上のアルキルポリグルコシドが、炭素数９〜１１のアルキル鎖長を有する請求項４に記載の洗浄用組成物。
【請求項６】
前記アルコキシレートが、エトキシレートである請求項１に記載の洗浄用組成物。
【請求項７】
前記１以上の２−プロピルヘプタノールアルコキシレートが、約１モルの２−プロピルヘプタノールと約３又は４モルのエトキシレートとの反応生成物を含む、請求項６に記載の洗浄用組成物。
【請求項８】
１以上の、芳香剤、着色剤、起泡剤、アルカリ性無機ビルダー、キレート化剤、溶媒、増粘剤、水、アニオン性又はカチオン性又は両性ポリマー、還元剤又は酸化剤、ヒドロトロープ、防腐剤、共界面活性剤、無機酸、有機酸、炭酸塩、重炭酸塩、クエン酸塩、グルコン酸塩から選択される添加剤をさらに含む、請求項１に記載の洗浄用組成物。
【請求項９】
前記アルキルポリグルコシドと２−プロピルヘプタノールアルコキシレートが、１：１の重量比で存在する、請求項１に記載の洗浄用組成物。
【請求項１０】
約１モルの２−プロピルヘプタノールと約４モルのエトキシレートとの前記反応生成物を含む前記２−プロピルヘプタノールアルコキシレート、又は前記１以上のアルキルポリグルコシド単独のいずれかの平均値より、少なくとも３０％以上の汚れを除去する効果がある、請求項７に記載の洗浄用組成物。
【請求項１１】
洗浄用組成物を製造する方法であって、該方法は、１以上のアルキルポリグルコシドを１以上の２−プロピルヘプタノールアルコキシレートに添加して、前記洗浄用組成物を形成することを含み、ここで前記１以上の２−プロピルヘプタノールアルコキシレートは、洗浄用組成物を基準に約１０．５以下の親水性−新油性バランス値を有し、ここで洗浄用組成物は粒子を含まない、方法。
【請求項１２】
前記親水性−新油性バランス値が、約９以下である請求項１１に記載の方法。
【請求項１３】
前記親水性−新油性バランス値が、約９以下である請求項１２に記載の方法。
【請求項１４】
前記１以上のアルキルポリグルコシドが、炭素数８〜１３のアルキル鎖長を有する請求項１１に記載の方法。
【請求項１５】
前記１以上のアルキルポリグルコシドが、炭素数９〜１１のアルキル鎖長を有する請求項１４に記載の方法。
【請求項１６】
前記アルコキシレートが、エトキシレートである請求項１１に記載の方法。
【請求項１７】
前記１以上の２−プロピルヘプタノールアルコキシレートが、１モルの２−プロピルヘプタノールと約３又は４モルのエトキシレートとの反応生成物を含む、請求項１６に記載の方法。
【請求項１８】
前記アルキルポリグルコシドと２−プロピルヘプタノールアルコキシレートが、１：１の重量比で存在する請求項１１に記載の方法。
【請求項１９】
硬表面を洗浄する方法であって、該方法は、硬表面を１以上のアルキルポリグルコシド及び１以上の２−プロピルヘプタノールアルコキシレートを含有する溶液を含む洗浄用組成物に接触させることを含み、ここで前記１以上のアルキルポリグルコシドと２−プロピルヘプタノールアルコキシレートは、約１０．５以下の親水性−新油性バランス値を有する、方法。
【請求項２０】
前記アルキルポリグルコシドと２−プロピルヘプタノールアルコキシレートが、１：１の重量比で存在する、請求項１９に記載の方法。
【発明の詳細な説明】
【技術分野】
【０００１】
本発明は、一般に洗浄用途に適した組成物、具体的には、２−プロピルへプチルアルコールアルコキシレート及びアルキルポリグルコシドであって、低ＨＬＢ値を有するものを含む硬表面を洗浄するための組成物に関する。
【背景技術】
【０００２】
硬表面に利用可能な幅広い種類の洗浄用組成物、例えば、多目的洗浄剤、台所洗浄剤又は浴槽洗浄剤、食器洗浄用組成物などがある。以前に可能であったよりも多くの汚れを除去できる改良された洗浄用組成物に対する継続的な要求がある。洗浄力を増大させる方法の１つは、苛酷な無機ビルダー、例えば、水酸化ナトリウム又はカリウムなどを組み込むことである。しかし、これらの化合物は腐食性であり、不適切に用いれば、使用者を負傷させ得る。洗浄力を増大させるもう１つの方法は、溶媒、例えば、可燃性の低分子量アルコール（例えば、エタノール又はイソプロパノール）、又は毒性であり得るジオールのアルコキシル化誘導体（例えば、ジエチレングリコールモノブチルエーテル）などを組み込むことである。洗浄力を増大させるもう１つの方法は、コストを追加し得る洗浄性調製物における界面活性剤の使用量を増やすことである。
【発明の概要】
【発明が解決しようとする課題】
【０００３】
従って、上記問題を一以上扱うと同時に、汚れ除去とも称される高水準の洗浄力を提供する洗浄用組成物に対する必要性がある。
【課題を解決するための手段】
【０００４】
本発明の１つの態様は、１以上のアルキルポリグルコシド及び１以上の２−プロピルヘプタノールアルコキシレートを含有する溶液を含む洗浄用組成物であって、ここで前記１以上の２−プロピルヘプタノールアルコキシレートは約１０．５以下の親水性−新油性バランス値を有し、ここで前記洗浄用組成物は粒子を含まない洗浄用組成物に関する。一以上の実施態様において、前記親水性−新油性バランス値は約９以下又は約８以下である。いくつかの実施態様では、前記１以上のアルキルポリグルコシドは炭素数８〜１３又は炭素数９〜１１のアルキル鎖長を有する。
【０００５】
一以上の実施態様において、前記アルコキシレートはエトキシレートである。いくつかの実施態様において、前記１以上の２−プロピルヘプタノールアルコキシレートは、約１モルの２−プロピルヘプタノールと約４モルのエトキシレートとの反応生成物を含む。他の実施態様において、前記１以上の２−プロピルヘプタノールアルコキシレートは、約１モルの２−プロピルヘプタノールと約３モルのエトキシレートとの反応生成物を含む。
【０００６】
前記洗浄用組成物は好ましい添加剤をさらに含んでよい。すなわち、いくつかの実施態様において、前記洗浄用組成物は、１以上の芳香剤、着色剤、起泡剤、アルカリ性無機ビルダー、キレート化剤、溶媒、増粘剤、水、アニオン性又はカチオン性又は両性ポリマー、還元剤又は酸化剤、ヒドロトロープ、防腐剤、共界面活性剤、無機酸、有機酸、炭酸塩、重炭酸塩、クエン酸塩、グルコン酸塩から選択される添加剤をさらに含んでよい。
【０００７】
いくつかの実施態様において、前記アルキルポリグルコシドと２−プロピルヘプタノールアルコキシレートは、１：１の重量比で存在する。一以上の実施態様において、前記組成物は、約１モルの２−プロピルヘプタノールと約４モルのエトキシレートとの前記反応生成物を含む前記２−プロピルヘプタノールアルコキシレート又は前記１以上のアルキルポリグルコシド単独のいずれかの平均値より少なくとも３０％以上の汚れを除去する効果がある。
【０００８】
本発明の第２の態様は、洗浄用組成物を製造する方法であって、該方法は、１以上のアルキルポリグルコシドを１以上の２−プロピルヘプタノールアルコキシレートに添加して、前記洗浄用組成物を形成することを含み、ここで前記１以上の２−プロピルヘプタノールアルコキシレートは、洗浄用組成物を基準に約１０．５以下の親水性−新油性バランス値を有し、ここで洗浄用組成物は粒子を含まない方法に関する。一以上の実施態様において、該親水性−新油性バランス値は約９以下である。いくつかの実施態様において、該親水性−新油性バランス値は約９以下である。
【０００９】
一以上の実施態様において、前記１以上のアルキルポリグルコシドは、炭素数８〜１３のアルキル鎖長を有する。いくつかの実施態様において、前記１以上のアルキルポリグルコシドは、炭素数９〜１１のアルキル鎖長を有する。一以上の実施態様において、前記アルコキシレートはエトキシレートである。いくつかの実施態様において、前記１以上の２−プロピルヘプタノールアルコキシレートは、１モルの２−プロピルヘプタノールと約３又は４モルのエトキシレートとの反応生成物を含む。一以上の実施態様において、前記アルキルポリグルコシドと前記２−プロピルヘプタノールアルコキシレートは、１：１の重量比で存在する。
【００１０】
本発明の第３の態様は、硬表面を洗浄する方法に関する。該方法は、硬表面を１以上のアルキルポリグルコシド及び１以上の２−プロピルヘプタノールアルコキシレートを含有する溶液を含む洗浄用組成物に接触させる方法を含み、ここで前記１以上のアルキルポリグルコシドと２−プロピルヘプタノールアルコキシレートは、約１０．５以下の親水性−新油性バランス値を有する。一以上の実施態様において、前記アルキルポリグルコシドと２−プロピルヘプタノールアルコキシレートは、１：１の重量比で存在する。
【図面の簡単な説明】
【００１１】
本発明の上記に示す特徴を実現する方法を詳細に理解できるように、上記に簡潔に要約された本発明のより詳細な説明は、添付図面に図示されたその実施態様を参照することによって得ることができる。しかし、該添付図面は、この発明の典型的な実施態様のみ図示したものであり、従って、発明の範囲を限定するものと考えるべきではなく、本発明の目的のために、他の同等で効果的な実施態様を認め得ることに留意すべきである。
【００１２】
【図１】図１は、一以上の本発明の実施態様による洗浄用組成物を２つの比較例の洗浄用組成物と比較した棒グラフである。
【図２】図２は、一以上の本発明の実施態様による洗浄用組成物を２つの比較例の洗浄用組成物と比較した棒グラフである。
【図３】図３は、一以上の本発明の実施態様による洗浄用組成物を２つの比較例の洗浄用組成物と比較した棒グラフである。
【図４】図４は、３つの比較例の相乗効果の欠如を示す棒グラフである。
【図５】図５は、３つの比較例の相乗効果の欠如を示す棒グラフである。
【図６】図６は、本発明の一以上の実施態様と２つの比較例によるいくつかの組成物の汚れ除去を比較した棒グラフである。
【図７】図７はいくつかの比較例の組成物における汚れ除去を比較した棒グラフである。
【発明を実施するための形態】
【００１３】
本発明のいくつかの代表的な実施態様を記述する前に、本発明が以下の説明で示される構成又は工程の詳細に限定されないと理解すべきである。本発明は、他の実施態様や様々な方法で実行又は実施することが可能である。
【００１４】
１以上の態様は、界面活性剤の特有の混合物を含有する改良された硬表面洗浄用組成物を提供する。一以上の実施態様の前記組成物は、低ＨＬＢの２−プロピルヘプタノール（２−ＰＨ）アルコキシレート（２−プロピルヘプチルアルコキシレートとも称される）及びアルキルポリグルコシド（ＡＰＧ）を含有する。すなわち、好ましい実施態様において、Ｃ１０アルコールアルコキシレートは枝分かれし、Ｃ７主鎖と２番目の炭素に位置するＣ３側鎖を有する。そのような組成物が、個々に使用されるいずれかの成分よりも多量の汚れを除去できる点で相乗効果があることを意外にも見出した。さらに、そのような相乗効果は、より高いＨＬＢの２−ＰＨアルコキシレートの誘導体とＡＰＧとの混合物、或いは低ＨＬＢの直鎖状アルコキシレートの誘導体と類似する鎖長のＡＰＧとの混合物のいずれか一方には存在しない。
【００１５】
従って、本発明のある態様は、１以上のアルキルポリグルコシド及び１以上の２−プロピルヘプタノールアルコキシレートを含有する溶液を含む洗浄用組成物に関する。一以上の実施態様において、前記１以上の２−プロピルヘプタノールアルコキシレートは、低い親水性−新油性バランス（ＨＬＢ）値を有する。「低ＨＬＢ値」とは、前記ＨＬＢ値が３〜１０程度の範囲であることを意味する。一以上の実施態様において、前記洗浄用組成物は透明な等方性混合物である。ここに用いられるように、「溶液」とは、いずれのサイズのいずれの粒子も含まない溶液を示す。すなわち、一以上の実施態様において、前記溶液は粒子を含まない。一以上の実施態様において、前記溶液は透明である。
【００１６】
洗浄用組成物はさらに添加剤を含んでよいが、全体的に前記洗浄用組成物は粒子を含まない。一以上の実施態様において、全体的な洗浄用組成物は、芳香剤；着色剤；起泡剤；アルカリ性無機ビルダー、例えば、ケイ酸塩のカリウム又はナトリウム塩、オルト−、ピロ−及び／又はポリリン酸塩、ナトリウム、カリウム又はアンモニウムの水酸化物；アルカノールアミン、アルキルアミン；キレート化剤、例えば、ＭＧＤＡ、ＥＤＴＡ、ＮＴＡ、ＨＥＤＴＡなど；溶媒、例えば、限定されないが、アルコール、グリコール、グリコールエーテル、炭化水素、メチル脂肪エステル、ジメチルアルキルアミド、ジメチルラクタミド、テルペン、ポリアルコキシレート；フレングランスオイル；水；増粘剤；人工又は天然起源のいずれかのアニオン性、カチオン性及び／又は両性ポリマー；酵素；穏やかな還元剤又は酸化剤；ヒドロトロープ；防腐剤；共界面活性剤、例えば、アニオン性、カチオン性、両性界面活性剤、並びにＨＬＢ＜１１．０のＡＰＧ又は２−プロピルヘプタノールアルコキシレートを含まないノニオン性界面活性剤、無機／有機酸；無機ビルダーとして炭酸塩、重炭酸塩；有機ビルダーとしてクエン酸塩、グルコン酸塩から選択される１以上の添加剤を含んでよい。
【００１７】
前記アルコキシレートは、結果的にＨＬＢ値が低く維持されている限り、任意の適したアルコキシレートであり得る。いくつかの実施態様において、アルコキシ基は２〜５個の炭素原子を有する。一以上の実施態様において、前記アルコキシレートは、１以上のエトキシ基、プロポキシ基、ブチレンオキシ基、ペントキシ基、それらの組み合わせを含む。さらなる実施態様において、ブチレンオキシ基は、１，２−ブチレンオキシド、２，３−ブチレンオキシド及び／又はイソブチレンオキシド基を含んでよい。いくつかの実施態様において、前記アルコキシレートは１，２−デカンオキシドを含む。適した低ＨＬＢの２−プロピルヘプチルアルコキシレートは、Lutensol（登録商標）XP30 (HLB〜8)、 Lutensol（登録商標） XP40 (HLB〜9)、Lutensol（登録商標） XL40 (HLB〜7)を含むが、これらに限定されない。
【００１８】
任意のアルコキシル化度を、結果的にＨＬＢ値が低く維持される限り利用し得る。アルコキシル化への言及は、アルコキシ基（「（ＡＯ）ｎ」と称される）がベース分子に付加されていることを意味し、ここでＡＯはエチレンオキシド（「ＥＯ」）、プロピレンオキシド（「ＰＯ」）、ブチレンオキシド（「ＢＯ」）単位、又はそれらの混合物を示し、そしてｎは約１〜１００の範囲の整数を表す。詳細な実施形態において、ＡＯは、エチレン及びプロピレン単位の単独或いはブロック又はランダム化された混合物を含む。従って、１以上の実施態様において、前記２−プロピルヘプチルアルコキシレートのアルコキシル化度は、約２〜約６（又は約３〜約５又は約４）の範囲である。従って、一以上の実施態様において、前記１以上の２−プロピルヘプタノールアルコキシレートは、約１モルの２−プロピルヘプタノールと約４モルのエトキシレートとの前記反応生成物を含む。一以上の実施態様において、前記１以上の２−プロピルヘプタノールアルコキシレートは、約１モルの２−プロピルヘプタノールと約３モルのエトキシレートとの前記反応生成物を含む。
【００１９】
前記２−プロピルヘプタノールアルコキシレートの前記親水性−新油性バランス値は、前記混合物の洗浄能力に重要な役割を果たす。前記ＨＬＢ値、すなわちグリフィンスケールに従う１から２０の間の無次元数は、水溶性又は油溶性のいずれが優先的であるかを示す。前記ＨＬＢ値は、乳化剤の親油性基と親水基のサイズと強度の平衡を示す。９以下の数は油溶性、疎水性乳化剤の特性を示す傾向にあるが、一方、１１以上の数は水溶性、親水性乳化剤の特性を示す傾向にある。グリフィンスケールは、W.C. Griffin, J. Soc. Cosmet. Chem. 1 (1949) 311; W.C. Griffin, J. Soc. Cosmet. Chem. 5 (1954) 249を参照できる。
【００２０】
乳化剤の前記ＨＬＢ値はまた、インクリメントから算出でき、ここで、分子を構成する様々な親水基及び疎水基のＨＬＢ−インクリメントは、公表されている表（例えば、H. P. Fiedler, Lexikon der Hilfsstoffe fuer Pharmazie, Kosmetik und angrenzende Gebiete [Dictionary of excipients for pharmacy, cosmetics and related areas], Edition Cantor Verlag, Aulendorf, 4th Ed., 1996）又は製造業者のデータから調べることができる。
【００２１】
エポキシル化生成物の前記ＨＬＢ値はまた、次の式により算出してもよい：ＨＬＢ＝（１００−Ｌ）：５、ここで、Ｌはエチレンオキシド付加物の重量％における親油性基、すなわち、脂肪アルキル又は脂肪アシル基の重量％である。
【００２２】
上記に記述したように、低ＨＬＢの２−プロピルヘプタノールアルコキシレート誘導体及びアルキルポリグルコシドの混合物を含む洗浄用組成物は、いずれか一方の成分単独よりも、改善された汚れ除去する特性を有する。重要なことに、この洗浄相乗作用は、より高いＨＬＢ値の２−プロピルヘプタノールアルコキシレート誘導体とアルキルポリグルコシド、或いは低ＨＬＢ値の直鎖アルキルアルコールエトキシレート誘導体とアルキルポリグリコシドであって、２−プロピルヘプタノールに類似する鎖長のものには存在しない。従って、本発明の一以上の実施態様において、２−プロピルヘプタノールアルコキシレートの前記ＨＬＢ値は、約１０．５以下である。さらなる実施態様において、前記ＨＬＢ値は、約１０、９．５、９、８．５、８、７．５、７、６．５、６又はこれ以下である。いくつかの実施態様において、前記ＨＬＢ値は少なくとも６である。
【００２３】
アルキルポリグルコシドは、アノマーのアルコール基がアルキル基に置換したグルコースエーテルである。一以上の実施態様において、前記アルキル鎖は、炭素数約７〜約１３（炭素数８〜１１、９〜１２又は１０〜１１）の範囲の長さを有する。一以上の実施態様において、前記アルキル鎖長は、平均的な炭素鎖長によって特徴づけられる。従って、一以上の実施態様において、前記平均的なアルキル鎖長は、約８．９〜約１２．８の範囲内である。一以上の実施態様において、アルキルポリグルコシドの重合度（「ＤＰ」）は、約１〜約２の範囲である。さらなる実施態様において、前記ＤＰは、約１．５〜約１．８の範囲である。アルキルポリグルコシドは、Glucopon（登録商標）、Plantapon（登録商標）、Plantacare（登録商標）及びMazon（登録商標）の製品としてＢＡＳＦ社から市販されている。
【００２４】
前記アルキルポリグルコシドと２−プロピルヘプタノールアルコキシレートは、様々な割合で存在し得る。一以上の実施態様において、前記アルキルポリグルコシドと２−プロピルヘプタノールアルコキシレートは、約２：１〜１：２の重量比で存在する。一以上の実施態様において、それらは１：１の重量比で存在する。
【００２５】
本発明の別の態様は、洗浄用組成物の製造方法に関する。該方法は、１以上のアルキルポリグルコシドを１以上の２−プロピルヘプタノールアルコキシレートに加える方法を含み、ここで該１以上の２−プロピルヘプタノールアルコキシレートは、洗浄用組成物を基準に低い親水性−新油性バランス値を有する。
【００２６】
本明細書に記載した洗浄用組成物の任意の変更を、上記方法に適用できる。例えば、該方法の一以上の実施態様において、前記親水性−新油性バランス値は、約１０以下（又は９以下、又は８以下、又は７以下、又は６以下）である。いくつかの実施態様において、前記１以上のアルキルポリグルコシドは、炭素数８〜１３又は炭素数９〜１１のアルキル鎖長を有する。一以上の実施態様において、前記アルコキシレートはエトキシレートである。いくつかの実施態様において、前記１以上の２−プロピルヘプタノールアルコキシレートは、１モルの２−プロピルヘプタノールと４モルのエトキシレートとの反応生成物を含む。いくつかの他の実施態様において、前記１以上の２−プロピルヘプタノールアルコキシレートは、１モルの２−プロピルヘプタノールと３モルのエトキシレートとの反応生成物を含む。一以上の実施態様において、前記アルキルポリグルコシドと２−プロピルヘプタノールアルコキシレートは、１：１の重量比で存在する。
【００２７】
さらに、本発明の別の態様は、ここに示される１以上の前記洗浄用組成物を使用することを含む硬表面の洗浄方法に関する。また、本明細書に記載した任意の変更が利用できる。例えば、一以上の実施態様において、該方法は、硬表面を１以上のアルキルポリグルコシド及び１以上の２−プロピルヘプタノールアルコキシレートを含有する溶液を含む洗浄用組成物と接触させる方法を含み、ここで前記１以上のアルキルポリグルコシドと前記１以上の２−プロピルヘプタノールアルコキシレートは、約１０以下の親水性−新油性バランス値を有する。いくつかの実施態様において、前記アルキルポリグルコシドと２−プロピルヘプタノールアルコキシレートは１：１の重量比で存在する。
【実施例１】
【００２８】
実施例１：各成分を上回る混合物の相乗効果
３つの洗浄用組成物を製造し、汚れ除去試験を行った。第１の組成物は、３モルのＥＯによりエポキシル化された２−プロピルヘプチルアルコールと、平均重合度（「ＤＰ」）１．５を有するＣ９−１１アルキルポリグルコシドのブレンド、１：１の混合物（ＰＨ３ＥＯ−ＡＰＧ１（１：１）」と称される）を０．２５重量％含んでいた。ＰＨ３ＥＯは、ＨＬＢ値が８である。他の構成成分は、洗浄用組成物に使われていなかった。第２の組成物は、平均重合度１．５を有するＣ９−１１アルキルポリグルコシドの混合物（「ＡＰＧ１」と称される）を０．２５重量％含む洗浄用組成物であった。該ＡＰＧ１組成物は、アルコキシル化された２−プロピルヘプタノールを含まないため、比較例と考えられる。第３の組成物は、２−プロピルヘプチルアルコール−３モルＥＯ（「ＰＨ３ＥＯ」と称される）０．２５重量％を含む洗浄用組成物であった。該ＰＨ３ＥＯ組成物は、アルキルポリグルコシドを含まないため、比較例であると考えられる。
【００２９】
３つのサンプルについて、極性／非極性の汚れ及び汚れの組み合わせからなる汚れ組成物を、洗浄するそれらの能力を試験した。まず、汚れのない「３”×３”」のビニル複合体パネルの反射率を測定した。次に、試験用汚れをそれぞれのパネルに適用した。該試験用汚れは、ストダード溶剤５０部、鉱油１０部、植物油４部、カーボンブラック４．５部、ブラックチャーム粘土１０部を含有した。各サンプルに対して、０．４ｍｌの前記試験用汚れをパネルの粗面に塗った。該汚れに、パネル上の「粗粒」をナイロンブラシを用いて広げた。次いで、該パネルを室温で２０分間、続いて１０５℃でさらに２０分間、それから最後に室温で２０分間、乾燥させた。汚れたパネルの反射率を測定した。
【００３０】
次に、各パネルを洗浄トレー中に設置した。その後、それぞれの洗浄用溶剤２００ｍｌを加え、パネルを１分間放置した。次いで、合成スポンジにより、各試験パネルを１０サイクル擦り洗いした。さらに、前記パネルを蒸留水で濯ぎ、１時間室温で乾燥させた。その洗浄操作を３度繰り返した。洗浄されたパネルの反射率を測定した。
【００３１】
各サンプルの洗浄能力を評価するために、汚れ除去率（％汚れ除去）を(Rw−Rs)/(Ru−Rs)×100に等しくなるように算出した、ここでＲｗは洗浄されたパネルの反射率であり、Ｒｓは汚れたパネルの反射率であり、Ｒｕは汚れていないパネルの反射率である。
【００３２】
汚れ除去の結果を図１に示す。ＰＨ３ＥＯ単独では４２．５％の汚れ除去を示し、一方、ＡＰＧ１は４４．１％を示した。対照的に、ＰＨ３ＥＯ−ＡＰＧ１（１：１）は５１．７％の汚れ除去を示し、これは前記アルキルポリグルコシド単独よりも７．６％、前記エポキシル化された２−プロピルヘプチルアルコールよりも９．２％上回っている。これは個々の構成成分単独の平均的な汚れ除去率を上回り、混合物の１９％の改善に相当する。２つの構成成分それぞれを上回る混合物の汚れ除去における飛躍的な増加は、該混合物の相乗効果を実証している。
【００３３】
実施例２：個々の構成成分を上回る混合物の相乗効果
３つの洗浄用組成物を製造し、汚れ除去試験を行った。第１の組成物は、４モルのＥＯによりエポキシル化された２−プロピルヘプチルアルコールと、平均重合度１．５を有するＣ９−１１アルキルポリグルコシドのブレンド、１：１の混合物（「ＰＨ４ＥＯ−ＡＰＧ１（１：１）」と称される）を０．２５重量％含む洗浄用組成物であった。ＰＨ４ＥＯは、ＨＬＢ値が９である。第２の組成物は、実施例１由来のＣ９−１１アルキルポリグルコシドの混合物（「ＡＰＧ１」と称される）を０．２５重量％含む同様の洗浄用組成物であった。このＡＰＧ１組成物は、アルコキシル化された２−プロピルヘプタノールを含んでいないため、比較例と考えられる。第３の組成物は、２−プロピルヘプチルアルコール−４モルＥＯ（「ＰＨ４ＥＯ」と称される）０．２５重量％を含む洗浄用組成物であった。該ＰＨ４ＥＯ組成物は、アルキルポリグルコシドを含んでいないため、比較例であると考えられる。該組成物は、実施例１と同様の手順により、汚れ除去試験を行った。汚れ除去の結果を図２に示す。ＰＨ４ＥＯ単独では４５．７％の汚れ除去を示し、一方、ＡＰＧ１は４４．１％を示した。対照的に、前記ＰＨ４ＥＯ−ＡＰＧ１（１：１）は、５８．８％の汚れ除去を示し、これは前記アルキルポリグルコシド単独よりも１４．７％、前記エポキシル化された２−プロピルヘプチルアルコールよりも１３．１％上回っている。これは、個々の構成成分単独の平均的な汚れ除去率を上回り、該混合物の３０％の改善に相当する。２つの構成成分それぞれを上回る該混合物における汚れ除去率の飛躍的な増加は、該混合物の相乗効果を実証している。
【００３４】
実施例３：比較的高いＨＬＢ値の有するより小さな相乗効果
３つの洗浄用組成物を製造し、汚れ除去試験を行った。第１の組成物は、５モルのＥＯによりエポキシル化された２−プロピルヘプチルアルコールと、平均重合度１．５を有するＣ９−１１アルキルポリグルコシドのブレンド、１：１の混合物（「ＰＨ５ＥＯ−ＡＰＧ１（１：１）」と称される）を０．２５重量％含む洗浄用組成物であった。ＰＨ５ＥＯは、ＨＬＢ値が１０である。第２の組成物は、実施例１由来のＣ９−１１アルキルポリグルコシドの混合物（「ＡＰＧ１」と称される）を０．２５重量％含む同様の洗浄用組成物であった。該ＡＰＧ１組成物は、アルコキシル化された２−プロピルヘプタノールを含んでいないため、比較例と考えられる。第３の組成物は、２−プロピルヘプチルアルコール−５モルＥＯ（「ＰＨ５ＥＯ」と称される）０．２５重量％を含む洗浄用組成物であって、該ＰＨ５ＥＯ組成物は、アルキルポリグルコシドを含んでいないため、比較例であると考えられる。該組成物は、実施例１と同様の手順により、汚れ除去試験を行った。汚れ除去の結果を図３に示す。ＰＨ５ＥＯ単独では、５６．６％の汚れ除去率を示し、一方、ＡＰＧ１は４４．１％を示した。対照的に、前記ＰＨ５ＥＯ−ＡＰＧ１（１：１）は、６０．５％の汚れ除去を示し、これは前記アルキルポリグルコシド単独よりも１６．４％、前記エポキシル化された２−プロピルヘプチルアルコールよりも３．９％上回っている。これは２つの個々の構成成分単独の平均的な汚れ除去率を上回り、該混合物の２０％の改善に相当する。２つの構成成分それぞれを上回る該混合物の汚れ除去率の飛躍的な増加は、該混合物の相乗効果を実証している。
【００３５】
実施例４：高いＨＬＢ値の有する相乗効果の欠如（比較例）
３つの洗浄用組成物を製造し、汚れ除去試験を行った。第１の組成物は、６モルのＥＯによりエポキシル化された２−プロピルヘプチルアルコールと、平均重合度１．５を有するＣ９−１１アルキルポリグルコシドのブレンド、１：１の混合物（「ＰＨ６ＥＯ−ＡＰＧ１（１：１）」と称される）を０．２５重量％含む洗浄用組成物であった。ＰＨ６ＥＯは、ＨＬＢ値が１１である。該ＰＨ６ＥＯのＨＬＢ値は１１であるため、この組成物は比較例と考えられる。第２の組成物は、実施例１由来のＣ９−１１アルキルポリグルコシドの混合物（「ＡＰＧ１」と称される）を０．２５重量％含む洗浄用組成物であった。該ＡＰＧ１組成物は、アルコキシル化された２−プロピルヘプタノールを含んでいないため、比較例であると考えられる。第３の組成物は、２−プロピルヘプチルアルコール−６モルＥＯ（「ＰＨ６ＥＯ」と称される）０．２５重量％を含む洗浄用組成物であって、該ＰＨ６ＥＯ組成物は、アルキルポリグルコシドを含まず、前記ＨＬＢ値が１１であることから比較例であると考えられる。該組成物は、実施例１と同様の手順により、汚れ除去試験を行った。汚れ除去の結果を図４に示す。ＰＨ６ＥＯ単独では５９．５％の汚れ除去を示し、一方、ＡＰＧ１は４４．１％を示した。前記ＰＨ６ＥＯ−ＡＰＧ１（１：１）混合物は、わずか５０．３％の汚れ除去を示し、これは前記アルキルポリグルコシド単独よりも６．２％上回っているが、前記エポキシル化された２−プロピルヘプチルアルコールよりも９．２％下回っている。前記の３つのサンプルと異なり、該混合物は、両方の構成成分それぞれを上回る相乗効果を示さなかった、これは高いＨＬＢ値が用いられた際に前記相乗効果を示さないことを実証している。
【００３６】
実施例５：高いＨＬＢ値の有する相乗効果の欠如（比較例）
３つの洗浄用組成物を製造し、汚れ除去試験を行った。第１の組成物は、７モルのＥＯによりエポキシル化された２−プロピルヘプチルアルコールと、平均重合度１．５を有するＣ９−１１アルキルポリグルコシドのブレンド、１：１の混合物（「ＰＨ７ＥＯ−ＡＰＧ１（１：１）」と称される）を０．２５重量％含む洗浄用組成物であった。ＰＨ７ＥＯは、ＨＬＢ値が１２である。該ＰＨ７ＥＯの前記ＨＬＢ値は１２であるため、この組成物は比較例であると考えられる。第２の組成物は、実施例１由来のＣ９−１１アルキルポリグルコシドの混合物（「ＡＰＧ１」と称される）を０．２５重量％含む洗浄用組成物であった。この組成物はアルコキシル化された２−プロピルヘプタノールを含んでいないため、比較例と考えられる。第３の組成物は、２−プロピルヘプチルアルコール−７モルＥＯ（「ＰＨ７ＥＯ」と称される）０．２５重量％を含む洗浄用組成物であった。この組成物は、アルキルポリグルコシドを含まず、ＰＨ６ＥＯのＨＬＢ値が１２であることから、比較例であると考えられる。該組成物は、実施例１と同様の手順により、汚れ除去試験を行った。汚れ除去の結果を図５に示す。ＰＨ７ＥＯ単独では、５７．６％の汚れ除去を示し、一方、ＡＰＧ１は４４．１％を示した。前記ＰＨ７ＥＯ−ＡＰＧ１（１：１）混合物は、わずか５２．８％の汚れ除去を示し、これは前記アルキルポリグルコシド単独よりも８．７％上回っているが、前記エポキシル化された２−プロピルヘプチルアルコールよりも４．８％下回っている。該混合物は、両方の構成成分それぞれを上回る相乗効果を示さず、これは実施例４と同様に、高いＨＬＢ値が用いられた際に、相乗作用を示さないことを実証している。
【００３７】
実施例６：様々なアルキル鎖長のアルキルポリグルコシドの有する相乗効果
７つの洗浄用組成物を調製し、汚れ除去能力を試験した。全ての組成物は０．２５重量％の活性界面活性剤を含み、界面活性剤の混合物は、１．１の重量比であった。以下のように、該洗浄用組成物を表１中に選択した。
【表１】
2016510356.tif 000002
【００３８】
第１の組成物は、２−プロピルヘプチルアルコール−４モルＥＯ（「ＰＨ４ＥＯ」と称される）０．２５重量％を含む洗浄用組成物であった。ＰＨ４ＥＯは、ＨＬＢ値が９である。この組成物は、アルキルポリグルコシドを含んでいないため、比較例であると考えられる。第７の組成物は、実施例１由来のＣ９−１１アルキルポリグルコシドの混合物（再び「ＡＰＧ１」と称される）を０．２５重量％含む洗浄用組成物であった。この組成物は、アルコキシル化された２−プロピルヘプタノールを含まないため、比較例と考えられる。該組成物は、実施例１と同様の手順により汚れ除去試験を行った。汚れ除去の結果を図６に示す。図６において、該混合物は、アルキルポリグルコシドが、左から右に向かって親水性を減少させる順に示されるようにリスト化されている。図６で実証されるように、全ての混合物は、ＰＨ４ＥＯ単独及びＡＰＧ１単独よりもより良く機能した。全ての混合物は、ＡＰＧ１が試験されたアルキルポリグルコシドの範囲外で最善の硬表面洗浄力を生じるとき、ＰＨ４ＥＯ単独又はそのアルキルポリグルコシドのいずれか一方よりも、より良く機能するであろうことが予測される。従って、ＰＨ４ＥＯとＡＰＧ１を上回る前記相乗効果は、アルキルポリグルコシドのアルキル鎖長に依存しない。
【００３９】
実施例７：低ＨＬＢ直鎖アルコールエトキシレートを用いた混合物の相乗効果の欠如（比較例）
６つの洗浄用組成物を調製し、汚れ除去能力を試験した。全ての組成物は０．２５重量％の活性界面活性剤を含み、界面活性剤の混合物は、１．１の重量比であった。以下のように、該洗浄用組成物を表２中に選択した。
【表２】
2016510356.tif 000003
【００４０】
第１の組成物は、ｎ−オクチル及びｎ−デシルアルコール−４モルＥＯのブレンド（「ＯＤ４ＥＯ」と称される）０．２５重量％を含む洗浄用組成物であった。枝分かれするエポキシル化された２−プロピルヘプチルアルコールと異なり、ＯＤ４ＥＯは直鎖状脂肪アルコールに基づく。ＯＤ４ＥＯは、ＨＬＢ値が１０．６である。この組成物は、アルコキシル化された２−プロピルヘプチルアルコールとアルキルポリアルキルポリグルコシドのいずれも含まないため、比較例であると考えられる。第２〜第５の組成物は、アルコキシル化された２−プロピルヘプチルアルコールを含まず、むしろアルコキシル化された直鎖状アルコールであるため、比較例であると考えられる。第６の組成物は、実施例１由来のＣ９−１１アルキルポリグルコシドの混合物（再び「ＡＰＧ１」と称される）０．２５重量％を含む洗浄用組成物であった。この組成物は、アルコキシル化された２−プロピルヘプタノールを含まないため、比較例と考えられる。該組成物は、実施例１と同様の手順に従って汚れ除去試験を行った。図７に汚れ除去の結果を示す。ＯＤ４ＥＯ（６１％除去）のみ含有する組成物が最も多く汚れを除去した。さらに、様々なアルキルポリグルコシドを有するＯＤ４ＥＯの該混合物は、アルキルポリグルコシド単独よりも顕著な汚れ除去を示さなかった。従って、図７に実証されるように、アルコキシル化されたアルコールが枝分かれした２−プロピルヘプタノールに基づかないため、アルコキシル化されたアルコール及びアルキルポリグルコシドを含む混合物の相乗効果はない。
【００４１】
この明細書全体に渡って、「一実施態様」「ある実施態様」「一以上の実施態様」又は「実施態様」の記載は、実施態様に関する記述された特定の特徴、構造、物質、特性が本発明の少なくとも１つの実施態様に包含されることを意味する。従って、この明細書全体に渡り、様々な箇所で出現するフレーズ、例えば、「一以上の実施態様において」「ある実施態様において」「一実施態様において」「実施態様において」は、本発明の同じ実施態様に必ずしも言及しているとは限らない。さらに、前記特定の特徴、構造、物質又は特性は、一実施態様において、いくつかの適する方法に組み込まれていてもよい。
【００４２】
本明細書に、本発明が特定の実施態様に関して記述されているが、これらの実施態様は本発明の原理と応用を単に説明していると理解すべきである。本発明の精神や範囲から逸脱することなく、様々な修正や変更が本発明の方法や装置になされ得ることは、当業者には明らかである。従って、本発明が、追加されたクレーム及びそれらと同等の範囲内の修正や変更を包含することは意図される。
【国際調査報告】
2016510356.tif 000004
2016510356.tif 000005
2016510356.tif 000006